(57)【要約】      （修正有）【課題】画面の小さな携帯端末において、簡単な操作で表示領域を拡張可能なユーザインタフェースを提供する。【解決手段】グラフィックディスプレイ１４４およびタッチパッド１４６を備えた携帯デバイス１４２において、タッチパッドの端あるいは外部からタッチパッド表面に沿ってドラッグするユーザ入力の動き１５０を検出すると、ディスプレイの端からディスプレイの主部に入るようアニメ化されてスライドするグラフィック要素１５２を、ディスプレイ上の動かない要素の上に表示する。【選択図】図４Ｂ
2017199420.tif 000002
【特許請求の範囲】
【請求項１】
コンピューティングデバイスのためのコンピュータによって実行されるユーザ入力プロ
セスであって、
グラフィックディスプレイを有するコンピューティングデバイスのタッチパッド表面上
で、前記タッチパッド表面にわたってドラッグするユーザ入力の動きを受け取るステップ
と、
前記ドラッグする入力の動きを、前記タッチパッド表面の周辺端部において前記入力の
動きに関する感知される最初の位置を識別することによって、前記タッチパッドの端を外
れたところから始まるものと識別するステップと、
前記ドラッグする入力の動きを識別するステップに応答して、前記グラフィックディス
プレイ上で、前記ディスプレイの前記端から前記ディスプレイの主部に入るように移動す
るようにアニメ化されるスライドするグラフィック要素を、前記ディスプレイ上の動かな
い要素の上に表示するステップとを備え、前記タッチパッド表面は、前記グラフィックデ
ィスプレイとは分離しているプロセス。
【請求項２】
前記タッチパッド上で受け取られた前記ユーザ入力の動きを、前記グラフィックディス
プレイ上の対応するポイントにマップするステップをさらに備える請求項1に記載の方法
。
【請求項３】
前記スライドするグラフィック要素は、前記ユーザ入力の動きに対応する方向で動く請
求項1に記載の方法。
【請求項４】
ユーザ入力の動きを受け取るステップは、前記タッチパッド表面の右側または左側から
前記タッチパッド表面に入る入力の動きを受け取るステップを備える請求項1に記載の方
法。
【請求項５】
ユーザ入力の動きを受け取るステップは、前記タッチパッド表面の上側または下側から
前記タッチパッド表面に入る入力の動きを受け取るステップを備える請求項1に記載の方
法。
【請求項６】
前記ドラッグする入力の動きに関するベクトルを計算するステップをさらに備える請求
項1に記載の方法。
【請求項７】
前記スライドするグラフィック要素が、前記ディスプレイの前記端から前記ディスプレ
イの前記主部に入るように移動する距離は、前記ユーザの入力のドラッグする動きの長さ
に対応する請求項1に記載の方法。
【請求項８】
前記スライドするグラフィック要素が、前記ディスプレイの前記端から前記ディスプレ
イの前記主部に入るように移動する距離は、前記ユーザの入力のドラッグする動きの速度
に対応する請求項1に記載の方法。
【請求項９】
前記スライドするグラフィック要素は、前記ディスプレイの前記端から移動するより前
に、第1のコンテンツを表示し、さらに前記ディスプレイの前記主部に入るように移動し
た後に、第2のコンテンツを表示する請求項1に記載の方法。
【請求項１０】
前記第1のコンテンツは、前記第2のコンテンツのサブセットである請求項9に記載の方
法。
【請求項１１】
前記グラフィックディスプレイの上の前記タッチパッド表面上で、前記タッチパッド表
面にわたってドラッグする第2のユーザ入力の動きを受け取るステップと、
前記第2のドラッグする入力の動きを、前記タッチパッド表面の周辺端部において前記
入力の動きに関する感知された最後の位置を識別することによって、前記タッチパッド上
で始まり、さらに前記タッチパッドの前記端を外れたところで終わるものと識別するステ
ップと、
前記第2のドラッグする入力の動きを識別するステップに応答して、前記グラフィック
ディスプレイ上で、前記ディスプレイの前記主部から前記ディスプレイの前記端に移動す
るようにアニメ化される第2のスライドするグラフィック要素を、前記ディスプレイ上の
第2の動かない要素の上に表示するステップとをさらに備える請求項1に記載の方法。
【請求項１２】
第1のスライドするグラフィック要素と前記第2のスライドするグラフィック要素は同一
である請求項11に記載の方法。
【請求項１３】
前記第1の動かない要素と前記第2の動かない要素は、同一である請求項12に記載の方法
。
【請求項１４】
コンピューティングデバイスのためのコンピュータによって実行されるユーザ入力プロ
セスであって、
グラフィックディスプレイ上のタッチパッド表面上で、前記タッチパッド表面にわたっ
てドラッグするユーザ入力の動きを受け取るステップと、
前記ドラッグする入力の動きを、前記タッチパッド表面の周辺端部において前記入力の
動きに関する感知された最後の位置を識別することによって、前記タッチパッド上で始ま
り、さらに前記タッチパッドの端を外れたところで終わるものと識別するステップと、
前記ドラッグする入力の動きを識別するステップに応答して、前記グラフィックディス
プレイ上で、前記ディスプレイの主部から前記ディスプレイの前記端に移動するようにア
ニメ化されるスライドするグラフィック要素を、前記ディスプレイ上の動かない要素の上
に表示するステップとを備えるプロセス。
【請求項１５】
ユーザ入力の動きを受け取るステップは、前記タッチパッド表面の右側または左側で前
記タッチパッド表面の外に出る入力の動きを受け取るステップを備える請求項14に記載の
方法。
【請求項１６】
ユーザ入力の動きを受け取るステップは、前記タッチパッド表面の上側または下側で前
記タッチパッド表面の外に出る入力の動きを受け取るステップを備える請求項14に記載の
方法。
【請求項１７】
前記スライドするグラフィック要素は、前記ユーザ入力の動きに対応する方向で動く請
求項14に記載の方法。
【請求項１８】
前記ドラッグする入力の動きは、前記タッチパッド表面上で、前記グラフィックディス
プレイ上の前記スライドするグラフィック要素の位置に対応する前記タッチパッド表面上
の位置において始まる請求項14に記載の方法。
【請求項１９】
前記スライドするグラフィック要素は、前記ディスプレイの前記端から前記ディスプレ
イを外れたところにさらに動くようにアニメ化される請求項14に記載の方法。
【請求項２０】
前記タッチパッド上で受け取られた前記ユーザ入力の動きを、前記グラフィックディス
プレイ上の対応するポイントにマップするステップをさらに備える請求項14に記載の方法
。
【請求項２１】
コンピューティングデバイス上のグラフィックディスプレイと、
前記グラフィックディスプレイ上の動かない要素と、
タッチパッドの端を外れたところから始まった、識別されたドラッグする入力の動きに
応答して、前記グラフィックディスプレイの端から前記グラフィックディスプレイの主部
まで前記動かない要素の上を動くことができるスライドするグラフィック要素とを備える
システム。
【請求項２２】
前記スライドするグラフィック要素の動きは、タッチパッド上で受け取られるユーザ入
力をマップするステップに基づく請求項21に記載のシステム。
【請求項２３】
前記スライドするグラフィック要素の動きは、ユーザ入力の動きに対応する請求項21に
記載のシステム。
【請求項２４】
前記スライドするグラフィック要素の動きは、前記ユーザ入力の動きの長さと前記ユー
ザ入力の動きの速度のいずれかにさらに対応する請求項23に記載のシステム。
【請求項２５】
前記スライドするグラフィック要素が、前記ディスプレイの前記端近くに位置する第1
の位置にある際、前記スライドするグラフィック要素によって表示される第1のコンテン
ツをさらに備える請求項21に記載のシステム。
【請求項２６】
前記スライドするグラフィック要素が、前記ディスプレイの前記主部に位置する第2の
位置にある際、前記スライドするグラフィック要素によって表示される第2のコンテンツ
をさらに備える請求項25に記載のシステム。
【請求項２７】
前記第2のコンテンツに関連するサイズは、前記第1のコンテンツに関連するサイズより
大きい請求項26に記載のシステム。
【発明の詳細な説明】
【技術分野】
【０００１】
関連出願の相互参照
本出願は、参照により本明細書に完全に記載されているかのように内容が組み込まれて
いる、2010年11月18日に出願した「User Interaction in a Computer Operating System
」という名称の米国特許仮出願第61/415,179号、および2010年11月18日に出願した「User
Interaction in a Computer Operating System」という名称の米国特許仮出願第61/458,
326号の優先権を主張するものである。
【０００２】
本明細書は、コンピュータオペレーティングシステムのユーザと対話するためのシステ
ムおよび技術に関する。
【背景技術】
【０００３】
コンピュータが、普通の日々の活動により深くかかわるようになるにつれ、ユーザがコ
ンピュータと対話する様態もより重要となる。例えば、より早期のコンピュータは、限ら
れた集団のユーザと対話するためにパンチカードを使用したが、デスクトップパーソナル
コンピュータは、より多くのユーザとのより長期の対話、ならびにグラフィカルユーザイ
ンターフェースの開発につながった。そのようなインターフェースは、コンピュータオペ
レーティングシステム自体の一部となるとともに、オペレーティングシステム上で実行さ
れるアプリケーションによってさらに拡張された。
【０００４】
コンピューティングデバイスは、現在、スマートフォンおよび類似するデバイスの形態
などで、しばしば、ポータブルであり、ユーザによって携帯される。そのようなデバイス
は、キーボードを介した対話を、デスクトップコンピュータまたはラップトップコンピュ
ータの場合と比べて、それほど実用的ではなくする限られたサイズであり得るため、グラ
フィックコンテンツを表示し、さらにそのコンテンツに関するユーザ入力を受け取ること
もできるタッチスクリーンユーザインターフェースの形態などで、アクションのための代
替の機構が提供され得る。また、音声入力や、モバイルデバイス内の加速度計またはコン
パスによって感知され得るジェスチャベースの入力などの他の入力機構が使用されること
も可能である。
【発明の概要】
【課題を解決するための手段】
【０００５】
本明細書は、モバイルコンピューティングデバイス(例えば、スマートフォン、ノート
ブック、またはタブレット)などのコンピューティングデバイスのユーザと対話するのに
使用され得るシステムおよび技術を説明する。本明細書で説明される様々な技術は、デバ
イスを用いてユーザに合図すること、およびデバイスに与えられたユーザ入力に応答する
ことを含め、デバイスとのより直観的なユーザ対話のための機構を提供することができる
。ユーザフィードバックは、可聴信号、触覚フィードバック(例えば、デバイスの調整さ
れた振動)、および画面上ユーザインターフェース要素の動きの形態をとり得る。
【０００６】
下記で特に説明される技術において、静電容量型のタッチパッドなどの画面外タッチ入
力デバイスとの特定のユーザ対話が、特定のコンテンツがデバイスのディスプレイ上に表
示されることをもたらし得る。詳細には、ユーザが、タッチパッドの端からドラッグする
動きを開始して、その動きをタッチパッド上で続けたことをデバイスが感知することが可
能である。(パッド外の接触は全く感知されないが、タッチパッドは、タッチパッドの端
において、その端からタッチパッドの主要な領域に向う方向で接触が開始したことを認識
する)そのような感知された入力に応答して、デバイスは、ユーザが、タッチパッドの端
を外れたところからタッチパッド上に引っ張ることによって、ディスプレイの端を外れた
ところからディスプレイ上にコンテンツを実際に引っ張ったかのように、ディスプレイの
端を外れたところからデバイスディスプレイ上に1つまたは複数のアイテムが動くスクロ
ールアクションをアニメ化することによって応答することが可能である。例えば、ユーザ
が、ユーザの指を、タッチパッドの左端を外れたところからタッチパッド上にドラッグし
た場合、コンテンツ(例えば、アイコンのグリッド、いくつかの操作ガジェット、または
メニュー)が、ディスプレイの左端を外れたところからディスプレイ上に漸進的にドラッ
グされるように見えることが可能であり、さらにユーザが、ユーザの指を行き来させるよ
うに動かした場合、そのコンテンツが、その指と同期して動くことが可能である。同様に
、ユーザが、タッチパッドの最上部を外れたところから引き下ろした場合、モバイルデバ
イスに関するANDROID（登録商標）オペレーティングシステムにおいて通知パネルが表示
されるのと同様に、ローラブラインドが引き下ろされるように見えるように通知パネルが
引き下ろされることが可能である。このため、タッチパッドの端近くで始まることが感知
されたドラッグする動きは、既に画面上にある或るアイテムの選択と解釈されることが可
能であり、さらにそのアイテム(例えば、或るアイコン)が、選ばれ、ドラッグする動きと
協調して動かされることをもたらし得る一方で、タッチパッドの端を外れたところから始
まることが感知されたドラッグする動き(例えば、その動きは、パッドの端そのもので始
まり、さらにその動きが最初に感知される際、或る既存の速度を有する)は、それまで表
示されていなかった新たな目に見えるオブジェクトを表面化させるのに使用され得る。
【０００７】
別の例において、画面外のコンテンツが入ってくることにより、現在の画面(デスクト
ップの背景を含むか、デスクトップ上のアイコンだけかにかかわらず)がパンされてディ
スプレイを外れて、画面外のコンテンツによって取って代わられることがもたらされ、ト
ラックパッドデバイス上で、既存のスマートフォンおよびタブレットのオペレーティング
システム上で実行されるようなマルチ画面デスクトップが実現されるようになることが可
能である。
【０００８】
いくつかの実施例において、そのようなシステムおよび技術は、1つまたは複数の利点
をもたらし得る。例えば、コンピューティングデバイスとのユーザ対話が、向上させられ
ることが可能であり、さらにユーザが、より多くのデバイスを購入して、それらのデバイ
スを他の人々に勧める可能性がより高いことがあり得る。また、アプリケーションの作成
者が、本明細書で説明されるようなインターフェースを使用して、作成者のアプリケーシ
ョンを提供することができることで利益を得ることが可能であるとともに、新たなさらな
る種類のアプリケーションを生成することができる可能性もある。下記で特に詳細に説明
される技術のさらに詳細な利点において、ときどきしか必要とされない要素をディスプレ
イの端を外れるように押し退け、ディスプレイの一部ではないタッチパッドまたは他の類
似した入力デバイス上の便利で直観的なユーザ入力に応答してそのようなオブジェクトを
表示することによって、ディスプレイの有効サイズが大きくされることが可能である。ま
た、そのような入力は、一部の例において、ディスプレイの端で、または端近くで始まる
が、タッチパッドの端そのものからではなく、タッチパッドの端を外れたところから入力
が始まったことを示すように或る既存の速度でタッチパッドに最初に入る入力とは区別さ
れ得る。その結果、ユーザには、いくつかの入力がタッチパッドの端を外れたところから
始まったことを(例えば、それらの入力の開始位置が端であると識別し、さらにそれらの
入力の開始速度が、或る速度、およびタッチパッドの主部に対して或る方向を有するもの
と識別することによって)認識する特別の機能に加えて、タッチパッドの通常の機能のす
べての使用が可能である。
【０００９】
別の実施形態において、コンピューティングデバイスのためのコンピュータによって実
施されるユーザ入力プロセスが開示され、さらに、グラフィックディスプレイの上のタッ
チパッド表面上で、タッチパッド表面にわたってドラッグするユーザ入力の動きを受け取
るステップと、そのドラッグする入力の動きを、タッチパッド表面の周辺端部においてそ
の入力の動きに関する感知される最初の位置を識別することによって、タッチパッドの端
を外れたところから始まるものと識別するステップと、ドラッグする入力の動きを識別す
るステップに応答して、グラフィックディスプレイの上で、ディスプレイの端からディス
プレイの主部に入るように移動するようにアニメ化されるスライドするグラフィック要素
を、ディスプレイ上の動かない要素の上に表示するステップとを備える。ユーザ入力の動
きを受け取るステップは、タッチパッド表面の右側または左側からタッチパッド表面に入
る入力の動きを受け取るステップを備え得る。また、この方法は、ドラッグする入力の動
きに関するベクトルを計算するステップも含み得る。
【００１０】
他の実施例において、コンピューティングデバイスのためのコンピュータによって実施
されるユーザ入力プロセスが、開示される。このプロセスは、グラフィックディスプレイ
の上のタッチパッド表面上で、タッチパッド表面にわたってドラッグするユーザ入力の動
きを受け取るステップと、そのドラッグする入力の動きを、タッチパッド表面の周辺端部
においてその入力の動きに関する感知される最初の位置を識別することによって、タッチ
パッドの端を外れたところから始まるものと識別するステップと、ドラッグする入力の動
きを識別するステップに応答して、グラフィックディスプレイの上で、ディスプレイの端
からディスプレイの主部に入るように移動するようにアニメ化されるスライドするグラフ
ィック要素を、ディスプレイ上の動かない要素の上に表示するステップとを備える。
【００１１】
1つまたは複数の実施形態の詳細が、添付の図面、および下記の説明に記載される。他
の特徴および利点が、その説明および図面、ならびに特許請求の範囲から明白となろう。
【図面の簡単な説明】
【００１２】
【図１Ａ】モバイルコンピューティングデバイスにおける触覚フィードバックを示す図である。
【図１Ｂ】モバイルコンピューティングデバイスにおける触覚フィードバックを示す図である。
【図２Ａ】グラフィカルユーザインターフェースにウインドウを追加するための技術を示すスクリーンショットである。
【図２Ｂ】グラフィカルユーザインターフェースにウインドウを追加するための技術のスクリーンショットである。
【図３Ａ】デバイスの動きに応答したモバイルコンピューティングデバイス上の地図作成アプリケーションの活性化を概念的に示す図である。
【図３Ｂ】デバイスの動きに応答したモバイルコンピューティングデバイス上の地図作成アプリケーションの活性化を概念的に示す図である。
【図４Ａ】タッチパッド入力機構と、タッチパッド入力機構上の特定のジェスチャに応答する画面上の要素とを有するコンピューティングデバイスのスクリーンショットである。
【図４Ｂ】タッチパッド入力機構と、タッチパッド入力機構上の特定のジェスチャに応答する画面上の要素とを有するコンピューティングデバイスのスクリーンショットである。
【図４Ｃ】タッチパッド入力機構と、タッチパッド入力機構上の特定のジェスチャに応答する画面上の要素とを有するコンピューティングデバイスのスクリーンショットである。
【図５】モバイルコンピューティングデバイスを示す概略図である。
【図６】コンピューティングデバイス上のデータのユーザエントリを訂正することと協調して触覚フィードバックを与えるためのプロセスを示す流れ図である。
【図７】ウインドウ周辺部上のユーザ入力に応答して表示要素を生成するためのプロセスを示す流れ図である。
【図８】コンピューティングデバイスの動きに応答してナビゲーションアプリケーションを自動的に活性化するためのプロセスを示す流れ図である。
【図９Ａ】タッチパッドのユーザ操作に応答してグラフィックディスプレイに要素を導入するためのプロセスを示す流れ図である。
【図９Ｂ】タッチパッドのユーザ操作に応答してグラフィックディスプレイの上の要素を最小化するためのプロセスを示す流れ図である。
【図１０】本明細書で説明される技術を実施するのに使用され得るコンピューティングデバイスおよびモバイルコンピューティングデバイスを示す図である。
【発明を実施するための形態】
【００１３】
様々な図面における同様の参照符号は、同様の要素を示す。
【００１４】
本出願は、モバイルスマートフォンなどのコンピューティングデバイスのユーザとの対
話を、例えば、そのデバイス上で実行されるオペレーティングシステムの要素を使用して
提供するためのシステムおよび技術を説明する。これらのシステムおよび技術は、視覚的
に、可聴で、または触覚を介して実施され得る様々な出力機構、およびデバイスを制御す
るための入力機構を提供することが可能である。複数の特定の例示的な技術が、本明細書
で説明され、さらにこれらの技術は、個々に実施されること、または互いに協働して、統
合されて適用されること(例えば、ユーザが、タッチパッドの端を外れたところからタッ
チパッド上にドラッグすることによってコンテンツを表面化させる前に、またはそのよう
にした後に、スクロールバー上で直角にドラッグすることが行われ得る)、もしくはオペ
レーティングシステムの他の態様と一緒に適用されることが可能である。
【００１５】
図1Aおよび図1Bは、モバイルコンピューティングデバイス102における触覚フィードバ
ックを示す図である。一般に、デバイス102は、スライドアウト型キーボード108を有する
スマートフォンの形態をとる。また、デバイス102は、ユーザに情報を表示するためのグ
ラフィックディスプレイをデバイス102の前面上に含み、このディスプレイは、ユーザが
、ユーザの指で、またはスタイラスでこのディスプレイの表面に触れることなどによって
、ユーザから入力を得るためのタッチスクリーン入力機構を含み得る。
【００１６】
この例において、デバイス102は、図1Aにおいて第1の状態で示され、さらに図1Bにおい
て後の第2の状態で示される。第1の状態で、文のテキストを検索クエリにサブミットする
ように、テキストを文としてワードプロセッシング文書または電子メールに追加するよう
に、または他の類似した目的でなど、ユーザが文をデバイス102にタイプ入力することを
開始した後のデバイス102が示される。ユーザによって入力された句106は、Soainという
語が入力されているが、ユーザは、Spainという語をタイプすることを明らかに意図して
いたという点で、スペルミスを含む。この例において、リアルタイムのスペルチェックシ
ステムが、Soainという語が、デバイス上に格納されている、またはそれ以外でデバイス1
02がアクセスできる(例えば、ワイヤレスネットワークおよびインターネットを介して)辞
書の中に出現しないことを判定することが可能であり、さらに、既存のワードプロセッサ
アプリケーションにおける様々なスペルチェックシステムによって実行されるような様態
で、この言葉に下線を引くことなどによって、この言葉を強調して示すことが可能である
。
【００１７】
スペルの間違った語の識別は、その語のスペルを訂正するようシステムをトリガするこ
とに加えて、デバイス102に、ユーザに触覚フィードバックを供給させることも可能であ
る。例えば、スペルの間違った語に対してシステムが行うアクションに依存して、異なる
1つまたは複数のタイプの触覚フィードバックが与えられることが可能である。一例とし
て、デバイス102が、Spainという語が識別されており、文字列に自動的に入れられる、言
葉110のような言葉に関してスペル訂正を探し出すことができている場合、デバイスは、
数分の1秒にわたってなど、比較的短い期間にわたって一度振動することが可能である。
代替として、システムが、言葉106に対する訂正を識別することができない場合、デバイ
ス102は、立て続けに2回、振動させられることが可能である。
【００１８】
このため、触覚フィードバックは、ユーザが入力したテキストに問題が認識されている
ことを認識するようデバイスのユーザをトリガして、ユーザが画面に目を移すようにする
、または画面にさらなる注目を与えるようにすることが可能である。ユーザが、単一回の
振動を感じた場合、ユーザは、目を上げて、置換の語が正しいことを確認することが可能
である一方で、ユーザが、2回の振動を感じた場合、ユーザは、目を上げて、タイプする
のを止め、手作業の訂正が必要とされるかどうかを見極めるようにすることが可能である
。
【００１９】
デバイス102は、他の実施形態において他の触覚フィードバックを与えることが可能で
ある。例えば、ユーザがユーザの手の中で感じることができる小さいクリックが与えられ
ること、またはユーザがユーザの手の中で感じることができる低いトーンが再生されるこ
とが可能である。また、単一回の振動、および2回の振動以外の触覚フィードバックのパ
ターンが使用されることも可能である。例えば、触覚イベントの時間的な長さが、ユーザ
に何らかのステータスを合図することが可能であり、または触覚イベントの振幅が、使用
されることが可能である。一例として、軽い振動が、訂正が行われたことを示し得るとと
もに、ユーザがそのことを場合により、無視することが可能である一方で、強い振動が、
誤りが識別されたが、訂正は行われ得ず、したがって、ユーザがその問題により注目しな
ければならないことを示し得る。
【００２０】
また、触覚フィードバックは、ユーザによる音声入力に応答して供給されることも可能
である。そのような状況では、システムは、ユーザによるタイプの誤りを探していること
になるのではなく、代わりに、システムが選択した語が、ユーザが話した語と合致するこ
とにあまり信頼性がない状態を探している。口頭で入力を与えるユーザが、通常、ユーザ
の語が正しく理解されているかどうかを判定するように画面を見てはいないため、さらに
、話すのと同時に聞くことが困難であり得るので、可聴フィードバックは不必要にユーザ
の邪魔となり得るため、触覚フィードバックは、可聴フィードバックより役立つ可能性が
ある。これに対して、触覚フィードバックは、ユーザが、ユーザのデバイスを保持してい
て、またはユーザのデバイスをポケットまたは他の類似した場所に入れていて、音声-テ
キスト変換の問題について、大して邪魔とならない様態で通知されることを可能にする。
【００２１】
図2Aおよび図2Bは、グラフィカルユーザインターフェースにウインドウを追加するため
の技術のスクリーンショットを示す。一般に、この場合の技術は、オペレーティングシス
テムのグラフィカルユーザインターフェースのウインドウ周辺部(スクロールバーの上な
どの)のあたりで始まり、さらにウインドウに入ってくるユーザによるドラッグする動き
を識別することを含む。そのようなユーザの動きは、新たなウインドウを追加する意図と
解釈され、したがって、システムは、システムがサイズを縮小する元のウインドウの横に
積み重ねられた新たなウインドウを作成する。
【００２２】
図2Aで、ウインドウ120が示され、基本的なウェブブラウザがウインドウ120内で実行さ
れており、さらにウェブページがこのブラウザ内に表示されている。そのウェブページを
閲覧しているユーザが、そのウェブページ上で言及される人物について調べており、ユー
ザは、その人物についてさらなる情報を見出すことを所望し、さらにユーザは、その情報
を、ウェブページ上の情報と並行して閲覧することを所望するものと想定されたい。その
ような閲覧を行う1つの有用な方法が、ディスプレイ上に横に並べて、または類似した構
成で2つのウインドウを提供することである。
【００２３】
そのような構成を確立する便利な機構が、ブラウザの表示領域の右端でスクロールバー
の上がユーザによって押されることを表す、選択ターゲット128によって示される。この
図における選択ターゲット128からドロップターゲット130への矢印は、ユーザがドロップ
ターゲット130でユーザの指を(例えば、マウスボタンまたはタッチスクリーンから)離す
までの、ユーザによるそれら2つのポイント間でのドラッグする動きを表す。選択ターゲ
ット128は、スクロールバー上のスクロールコントロール126の上に、またはスクロールバ
ー上の別の場所に位置していることが可能である。また、選択は、ウェブページコンテン
ツが表示されるブラウザの表示領域の外にあるウインドウ120の端近くの別の周辺要素上
で行われることも可能である。代替として、選択ターゲット128は、ウインドウ120の周辺
部から小さい距離内の場所であることが、その場所に目に見える要素が存在するかどうか
にかかわらず、可能である。
【００２４】
図2Bは、ユーザによるそのような入力のコンピューティングデバイスによる解釈の結果
を示す。詳細には、ウインドウ120が示され、さらに新たなウインドウ124も元のウインド
ウ120に隣接して示される。ウインドウ120は、ユーザが、図2Aでドラッグしたのと同じ分
だけ横方向の寸法が縮められており、すなわち、図2Bのウインドウ120の右端は、ドロッ
プターゲット130とほぼ垂直に揃っている。また、新たなウインドウ124が、図2Aに示され
るユーザ入力に応答して自動的にインスタンス化されている。ウインドウ124は、検索ボ
ックスを表示するページ、そのユーザの最も頻繁にアクセスしているサイトのうちのいく
つかのサイトのサムネイルまたは他のそのようなコンテンツを表示するページなどの、ブ
ラウザのための標準の一般的な最初に表示されるページであり得る。
【００２５】
また、図2Aのユーザからの入力は、ウインドウ124がインスタンス化された際にどのよ
うなページがウインドウ124に表示されるべきかを示すことも可能である。例えば、選択
ターゲット128が、或るURLなどのウェブページの或る要素の上にあることが可能であり(
ドロップターゲットは、画面の端、または現在、ブラウザの焦点であるペインもしくはタ
ブの外の領域である)、さらにそのURLに関するウェブページが、ウインドウ124内で開か
れることが可能である。
【００２６】
この場合の例は、ウェブブラウザおよびウェブページに注目するものの、これらの技術
は、他のアプリケーションとともに使用されてもよい。例えば、ワードプロセッシングア
プリケーションのユーザが、類似するドラッグする動きを行い、さらに新たなウインドウ
内、または新たなペイン内に新規の文書を開かせることが可能である。この新規の文書は
、元の文書と一緒に、両方の部分的文書を包含するより大きい文書の部分的文書として確
立され得る。例えば、そのようなドラッグが、或る本の原稿における新たな章を開くのに
使用されることが可能であり、その本全体に関する文書が、各章に関する部分的文書を包
含する。
【００２７】
図3Aおよび図3Bは、モバイルコンピューティングデバイス130の動きに応答したデバイ
ス130上の地図作成アプリケーションの活性化を概念的に示す。図3Aは、動いていない自
動車132内のデバイス130を、デバイス130のスクリーンショットと一緒に示す一方で、図3
Bは、動いている同一の自動車132を、デバイス130のスクリーンショットと一緒に示して
、デバイス130に関する例示的な動作モードを強調して示すようにしている。
【００２８】
図3Aで、デバイス130は、自動車132のダッシュボードのドックに入れられることなどに
よって、自動車132に実装される。自動車132は、動いておらず、デバイス130は、デバイ
ス130上のオペレーティングシステムに関するデスクトップを単に表示する。例えば、デ
バイスは、選択が、デバイス130上の様々なアプリケーションを起動させることが可能な1
つまたは複数のアイコン138と、グループ134のアイコンとを表示することが可能である。
さらに、時計136または他のそのようなプログラムなどのウィジェットまたはガジェット
が、デスクトップ上に表示され得る。このように、デバイス130上の表示が、慣れ親しん
だ様態で与えられる。
【００２９】
図3Bで、自動車132の運転者が、動き出しており、さらにデバイス130内のGPSモジュー
ルが、その結果、デバイス130の速度を計算することが可能であり、したがって、自動車1
32の速度を計算することが可能である。そのような算出は、或る期間にわたる2つの地点
間の距離を算出し、さらに移動のレートを得るためにその期間で割ることによって、自動
車132の静止した表現と動いている表現の間に示されるような式に従って行われ得る。
【００３０】
この例におけるデバイス130は、その計算された速度を或る所定の速度と比較するプロ
グラムを備え、さらにその所定の速度が満たされる、または超えられると、デバイス130
は、デバイス130の表示を、デスクトップ表示から、地図上にデバイス130および自動車13
2の位置を示す地図の形態のナビゲーション表示140に変更する。このようにして、このデ
バイスは、動いているユーザが、ユーザの最新の位置についての情報を得ることを所望す
るという推論に基づいて、モードを自動的に変更することができる。
【００３１】
この場合の表示140は、ナビゲーション表示だけを与えるものとして示されるものの、
他の情報がこの表示上に維持されることも可能である。例えば、この表示の周辺部に沿っ
た帯状部分が、着信するメッセージ(例えば、着信する電話呼び出しに関する発信者番号
情報、着信する電子メールに関する件名など)を表示するために確保されることが可能で
あり、さらにユーザが、メッセージアラート上の或る領域を選択して、対応するメッセー
ジについてのさらなる情報をナビゲーション表示の上に表示させることが可能であり、ま
たはそのような情報がナビゲーション表示に取って代わるようにすることが可能である。
また、着信する電話呼び出しなどの或る特定のイベントが生じると、ユーザがその呼び出
しに応じる間、ナビゲーション表示が、分割画面の中の側部に押し退けられることが可能
である、または完全に除去されることが可能である。
【００３２】
また、ユーザに示されるナビゲーション表示のタイプは、デバイス130によって検出さ
れる速度に依存することも可能である。例えば、低い速度では、デバイス130は、ユーザ
が歩いている、または自転車に乗っていると推測することが可能であり、さらに地元の店
、バス停留所、およびATMなどの、そのような活動に適切な詳細とともに地図を表示する
ことが可能である。より高い速度では、表示は、ガソリンスタンド、運転経路、および現
在の交通情報などの、自動車の運転者に関係のある情報を代わりに示すことが可能である
。コーヒーショップの所在地などの或る情報は、両方のモードで表示され得る。
【００３３】
また、ナビゲーション表示のズームレベルが、デバイス130の速度の変化に応答して、
自動的に変わることも可能である。例えば、速度が、ユーザが徒歩であることを示すよう
に時速10マイル未満である場合、ズームレベルは、デバイス130が1ブロック、または2ブ
ロックを表示するように設定され得る。速度が時速約60マイルである場合、ズームレベル
は、デバイス130が数マイルの範囲を表示するように自動的に再設定され得る。
【００３４】
すると、本明細書で示されるようにして、ナビゲーション表示は、デバイスの感知され
た動きに応答して、デバイスの焦点とされることが可能であり、したがって、ユーザは、
そのような表示を明示的に要求しなくてもよい。また、ナビゲーション表示の特定のモー
ドは、デバイスが動いている速度に依存して、変わることが可能である。
【００３５】
図4Aおよび図4Bは、タッチパッド入力機構と、タッチパッド入力機構上の特定のジェス
チャに応答する画面上の要素とを有するコンピューティングデバイス142のスクリーンシ
ョットを示す。この例において、デバイス142は、タッチスクリーンに隣接してタッチパ
ッドを有するノートパッドの形態であるが、通常は、ヒンジによってつながれた2つの要
素を有するノートブックまたはラップトップの形態であり、これらの要素のうちの1つに
グラフィックディスプレイを有し、さらに他方の要素上にタッチパッド(および対応する
選択ボタン)を備えたキーボードを有する。
【００３６】
図4Aで、デバイス142が、グラフィックディスプレイ144上にウェブページ156を表示し
ているのが示されている。選択可能なタブ154が、ディスプレイ144の左端に示されている
。タブ154上の矢印は、デバイス142のユーザに、ユーザが、タッチパッドまたはマウスに
よって操作しているポインタを用いるなどして、タブ154を選択することができ、さらに
タブ154を右にドラッグして、現在、ディスプレイ144の左側から外れて位置する(推測に
よるに過ぎないものの)1つまたは複数のオブジェクトを画面上にドラッグすることができ
ることを示す。
【００３７】
代替として、コンタクトポイント148によって示されるとおり、ユーザは、タッチパッ
ド146の左側でデバイス142に接触し、次に、ユーザの指をタッチパッド146の表面上にド
ラッグすることを、そのような意図が検知されるのに十分な距離、表面に入り込むように
行うことによって、ディスプレイ144の左側の領域からディスプレイ上にオブジェクトを
引っ張る意図を示してもよい。ユーザの指は、タッチパッドの端を外れたところでは感知
されないものの、タッチパッド146のちょうど端にユーザの指が最初に存在することが、
タッチパッド表面上に向う方向で左端に対して直角のその指のベクトルとともに感知され
得る。図4Bに示されるとおり、タッチパッド146のポイント150に対するユーザからの入力
は、情報パネル152が、タッチパッド上のユーザの指の動きと協調してディスプレイ144上
を横にスライドするようにアニメ化されることをもたらす。タッチパッド146の右端を外
れたところからタッチパッド146の表面上への、またはタッチパッド146上の領域からタッ
チパッドの左端を外れたところへの全体的に水平のまっすぐなスワイプで対応するスワイ
プを行うことが、デバイス142が図4Aの外観に戻るようにディスプレイ144から情報パネル
152を取り除く意図を示すことが可能である。動きは、左端および右端に対してユーザが
水平にスワイプする動きに関して説明されるものの、上端および下端に対してユーザが垂
直に対応するスワイプを行う動きも企図される。
【００３８】
一部の実施形態において、タブ154は、図4Aのとおり、ディスプレイの端に位置する際
の第1のコンテンツを示す。パネル152がディスプレイ144上にスライドすると、第2のコン
テンツがパネル152上に示される。一部の実施形態において、第1のコンテンツは、第2の
コンテンツのサブセットである。例えば、第1のコンテンツは、タブ154がパネル152より
小さく、したがって、パネル152ほど多くを示すことができないので、第2のコンテンツの
省略されたバージョンであり得る。
【００３９】
ユーザ入力のこの実施例において、ユーザがタッチパッド146上をユーザの指でスワイ
プする際、ディスプレイ144上の対応するポイントがタブ154の上に(この状況では、ディ
スプレイ144の中心に)あるかどうかは、問題ではない。代わりに、タッチパッド146を外
れたところから始まる動きのインスタンスが、タッチパッド146に対する指の垂直方向の
位置にかかわらず、タブ154がその動きによってつかみ取られたことを示すものとデバイ
スによって解釈される。
【００４０】
ポイント150の特定の位置は、ユーザ入力に対するデバイス142の反応に影響することも
、影響しないことも可能である。例えば、ポイント150は、ユーザがタッチパッド146を横
切る水平方向の入力を与えていることを少なくとも示すようにタッチパッド146に十分に
入り込むことを要求され得る。また、ポイント150の最終的な位置が、パネル152がどこま
でディスプレイ144上にスライドするかを制御することも可能である。つまり、パネル152
がディスプレイ144の端からディスプレイ144の主部にスライドする距離は、ユーザがドラ
ッグする動きの長さに対応し得る。例えば、パネル152が、情報の2つの垂直の列を有する
ことが可能であり、ユーザが、タッチパッド146の横幅の半分に満たない距離(または他の
何らかの距離)をドラッグした場合、1つの垂直の列が表示され得る一方で、ユーザがより
大きい距離をドラッグした場合、両方の列が表示され得る。代替として、パネル152がデ
ィスプレイ144の端からディスプレイ144の主部にスライドする距離は、ユーザがドラッグ
する動きの速度に対応してもよい。
【００４１】
また、タッチバー155が、ディスプレイ144の左端に沿って示されており、オプションと
して、タッチパッド146と組み合わせで備えられることが可能である。タッチバーは、デ
バイス142のグラフィックディスプレイ部分を外れていること、デバイス142のベゼル上に
あることが可能であるとともに、比較的低い解像度を有するタッチセンシティブデバイス
であり得る。図示されるとおり、適切な状況で、タッチバー155は、ブックマークを示す
こと、ホームページに行くこと、および先に進むこと、または元に戻ることなどの、ウェ
ブブラウズ操作にそれぞれが向けられた複数の区域を有し得る。これらの区域はそれぞれ
、ユーザが、ユーザの人差し指でベゼルの裏側をはさみながら、妥当な選択に対してユー
ザの親指を容易に押すことができるようにサイズ設定され得る。また、タッチバー155の
区域は、ユーザが親指をタッチバー155上のアイコンの上からタッチバー155の端を外れた
ところまでドラッグする動きなどの、ユーザによる限られた動きを識別する機能を含むこ
とも可能である。そのような動きは、特定の機能に割り当てられることが可能であるとと
もに、さらに、または代替として、デバイス142上で実行されているアプリケーションに
よってプログラミング可能であり得る。
【００４２】
このため、デバイス142のベゼルにおけるタッチバー155を使用して、ユーザに、さらな
る迅速な入力機構が与えられることが可能であるが、キーボードにキーを追加することは
必要とされない。また、ベゼル入力を受け取るため、および解釈するための他の様々な技
術が使用され得る。例えば、ベゼル選択が、音楽プレーヤを制御するためのアイコンを含
むことが可能であり、さらにタッチバー155が、デバイス142の周囲に配置されることが可
能であり、したがって、タッチバー155のボタンのいくつかが、(例えば、ラップトップが
開かれた状態で行われるウェブブラウジング等に関して)デバイス142の内側から見えると
ともに、タッチバー155のボタンの他のいくつかは、デバイスが閉じられている際に、デ
バイスの外側から見える(例えば、デバイス142の全体に電源を投入することなしにアクセ
スされ得る音楽プレーヤコントロール)。
【００４３】
図5は、上記および下記で説明される技術を実行するためのモバイルコンピューティン
グデバイスの概略図である。デバイスは、本明細書では、スマートフォンの形態で示され
るが、デスクトップパーソナルコンピュータ、ネットブック、またはラップトップコンピ
ュータなどの様々な他の形態をとり得る。この例において、モバイルデバイス502は、入
力および出力のためのタッチスクリーンディスプレイ504と、代替の入力機構としてのト
ラックボール506とを有するスライダベースのスマートフォンである。
【００４４】
ディスプレイ504は、地図作成アプリケーションが、前のページと同様にクローム無料
ブラウザにおいて表示されていることの例を示し、さらに、前述したとおり、表示504の
左側に、この表示の左端から内側に広がる情報パネルも示す。
【００４５】
いくつかの構成要素が、これらのフィーチャに関連するデバイス内の構成要素を示すよ
うにデバイス502の内部に概略で示され、さらに上記および下記でより詳細に説明される
技術を実施するのに使用される。これらの特定の構成要素は、説明を簡明にするため、こ
の例では別々に示されるものの、これらの構成要素のうちの1つまたは複数は、デバイス
上のメモリの中に格納されるものとして実施され、さらにデバイス502上のプログラミン
グ可能なマイクロプロセッサ上で動作させられることが可能である。他の構成要素、およ
び構成要素の他の構成も企図される。
【００４６】
デバイス502は、タッチスクリーンディスプレイ504上でユーザに表示されるべき様々な
要素を制御するディスプレイマネージャ508を含む一方で、入力マネージャ512が、ディス
プレイ504上のタッチスクリーン、またはトラックボール506などの他の機構から受け取ら
れた入力を管理する。ディスプレイマネージャ508は、様々なアプリケーション、および
オペレーティングシステムの他の構成要素から情報を受け取り、さらにディスプレイ504
上の他の要素との関係でどのような要素を表示すべきか、いずれの要素を隠すべきか、お
よび目に見える要素を互いの関係でどのように表示すべきかを決定することが可能である
。
【００４７】
入力マネージャ512は、ユーザがデバイスに対して行うアクションを解釈するようにデ
ィスプレイマネージャ508と協調することが可能である。例えば、ユーザが、タッチスク
リーンディスプレイ504上にユーザの指を置くことが可能であり、またはタッチスクリー
ンディスプレイ504上でポインタを動かし、その後、選択を行うことが可能である。入力
マネージャ512は、ディスプレイマネージャ508に照会して、ユーザが、そのようなアクシ
ョンによってどのようなアイテムを選択したかを特定することが可能であり、さらにイベ
ントマネージャ510を使用することなどによって、イベントにサブスクライブしている可
能性がある他の様々な構成要素に報告され得るイベントを生成することが可能である。
【００４８】
また、デバイス502は、デバイス上で実行されているアプリケーションに、さらに/また
はデバイスのオペレーティングシステムに提供され得る様々なサービスを備えることも可
能である。例えば、一般に市販されるモジュールであり得るGPSモジュール514が、デバイ
ス504の位置についての特定を行うことが可能であり、さらにそのような情報を、運転経
路を示すアプリケーション、ソーシャルネットワークを介してユーザの友人が参照するよ
うにユーザの位置を知らせるアプリケーションなどの、様々なアプリケーションに供給す
ることが可能である。そのようなサービスは、上記で図3Aおよび図3Bに関連して説明した
技術、および下記で図8に関連して説明する技術と関係して説明され得る。同様に、スペ
ルコレクタ516が、デバイス上で実行される様々なアプリケーションに一般に利用可能な
サービスをもたらすことが可能であり、したがって、それらのアプリケーションは、ユー
ザが入力したデータを訂正する、あるいはその入力に関する問題についてユーザに通知す
ることができる。そのような通知は、図1Aおよび図1Bに関連して上記で説明し、図6に関
連して下記で説明するような触覚フィードバックを介することが可能である。
【００４９】
また、様々な物理的出力機構が、デバイス502に備えられることも可能である。例えば
、バイブレータ522が、ユーザに触覚フィードバックを与えるように備えられることが可
能である。バイブレータ522は、デバイス上の様々なアプリケーションまたはサービスに
よって呼び出され得る、関連するコントローラ(図示せず)を有し得る。例えば、スペルコ
レクタ516が、スペルコレクタ516によってスペルミスが識別されるといつでも、デバイス
504を振動させることが可能である。また、サウンドコントローラ524、および関連するオ
ーディオスピーカが、トーンまたは合成音声などの形態で、さらなるフィードバックをユ
ーザに与えるように備えられることが可能である。
【００５０】
アプリケーション518、520などの様々なアプリケーションが、デバイス上で実行される
ことが可能であり、さらにディスプレイマネージャ512を介して表示されるべきグラフィ
ックスのためのデータを供給することが可能である。これらのアプリケーションは、デバ
イス502上のオペレーティングシステムの一部であることが可能であり、またはオンライ
ン市場などから、デバイス502のユーザによって追加されることが可能である。この例に
おいて、第1のアプリケーションは、地図作成アプリケーション518であり、さらにスタン
ドアロンのアプリケーションとして実行されることも、ブラウザアプリケーション520に
おいて実行されるアプリケーションとしてもしくはプラグインとして実行されることも可
能である。ブラウザアプリケーション520は、スタンドアロンのアプリケーションである
ことも、デバイス502上で実行されるオペレーティングシステムに組み込まれた構成要素
であることも可能であり、さらに本明細書の他の箇所で詳細に説明されるような表示を生
成することが可能である。デバイス502のユーザによることを含め、他のアプリケーショ
ンが、デバイス502上で提供される、またはデバイス502にインストールされることも可能
である。
【００５１】
オペレーティングシステムおよびアプリケーション518、520に関する様々なメッセージ
が、ワイヤレスインターフェース526経由で、インターネットに接続されたワイヤレス通
信ネットワークなどのネットワークを介して受信され得る。1つまたは複数の遠隔サーバ
などからの、ネットワークから受信された情報は、アプリケーション518、520に供給され
ることが可能であり、さらにアプリケーション518、520から情報がネットワークに送り返
されることが可能である。
【００５２】
さらに、揮発性ストレージおよび永続的ストレージを含む様々な形態のストレージが、
デバイス502上に備えられることが可能である。永続的ストレージには、アプリケーショ
ンデータ528、辞書データ530、およびユーザ情報532などの様々なデータストアが含まれ
得る。辞書データ530は、前述したとおり、スペルコレクタ516と協働するとともに、スペ
ルコレクタ516によって使用されて、ユーザによって入力された言葉のスペリングが適切
であるかどうかをスペルコレクタ516が判定することを許す情報を供給する。アプリケー
ションデータ528は、様々なアプリケーション518、520が、アプリケーション518、520の
機能を実行するために要求するデータであれば何であれ、含むことが可能である。アプリ
ケーションに依存して、より多くのデータ、またはより少ないデータが、遠隔サーバシス
テム上に格納されるのではなく、デバイス502上にローカルで格納されることが可能であ
る。例えば、いくつかのデバイスが、地図作成アプリケーションのためのデータをローカ
ルで格納することが可能である一方で、他のデバイスは、ユーザが地図上を移動するにつ
れ、遠隔サーバから地図作成データ(例えば、或る地理的区域の一部分の画像を示す地図
タイル)を取得すること、およびすぐ後にそのデータを捨てることが可能である。
【００５３】
ユーザ情報532は、コンピューティングデバイス502の1名または複数名のユーザについ
ての特定の情報を含み得る。例えば、ユーザ情報は、ユーザに関するプロファイル情報、
ならびにユーザとのデバイス502の対話を制御するとともに、デバイス502上で様々なアプ
リケーションが動作する様態を制御することもできる設定情報を含み得る。異なる3つの
データストアが、わかりやすいように本明細書で示されるものの、他の多くの情報がデバ
イス502上に格納され、格納されることが可能であり、本明細書で示されるとおりに構成
されなくてもよい。
【００５４】
図6は、コンピューティングデバイス上でユーザデータエントリを訂正することと協調
して触覚フィードバックを与えるためのプロセスの流れ図である。一般に、このプロセス
は、ユーザによって入力される情報に変更が行われることが成功したこと、または成功し
なかったこと(あるいは、変更が行われなかったこと)をユーザに示すために、モバイルデ
バイスを自動的に震えさせる、または振動させることを含む。
【００５５】
このプロセスは、ボックス302で始まり、コンピューティングデバイスが、タイプされ
たユーザ入力を受け取る。そのような入力は、ワードプロセッシングアプリケーション、
電子メールアプリケーション、ウェブブラウザアプリケーション、および他の類似したア
プリケーションなどの、デバイス上で実行されている1つまたは複数のアプリケーション
を介して行われ得る。また、入力は、音声-テキストコンバータなどによって、アプリケ
ーションのためにテキストに変換される音声入力であることも可能である。ボックス304
で、このプロセスは、ユーザによって入力されたスペース、または音声-テキストコンバ
ータによって特定された語の終わりなどの、入力されたテキストにおける語の区切りを識
別する。ボックス306で、スペル訂正アプリケーションが、入力された語、または複数の
語から成る句を解析し、さらにその語が、デバイス上に格納された、またはデバイスにア
クセス可能にされた辞書の中のいずれの語とも合致しないと判定する。そのような判定は
、語を辞書の中の語のリストと単に比較することによって、または語の適切なスペルをよ
りよく特定するように文脈で語を比較することによって行われ得る。
【００５６】
ボックス308で、プロセスは、語を訂正する自動訂正サービスにアクセスする。そのよ
うなサービスは、辞書データを使用して適切な語のスペルを特定するように、またはどの
語を話者のユーザが発音したかを特定するように、様々な慣れ親しんだ形態で実施され得
る。
【００５７】
ボックス310で、プロセスは、触覚デバイスに通電して、語の訂正をユーザに合図する
。そのような合図は、ユーザが振動を軽く感じるように触覚デバイスに通電することを含
み得る。デバイスをしばらく使用した後、ユーザは、振動が、デバイス上で入力されてい
るデータの訂正を示すことを本来的に理解する。より強い振動、または立て続けの2回の
振動が、デバイスが、言葉のスペルを訂正できなかったこと、またはデバイスに対して発
音された言葉を認識できなかったことを示すのに使用され得る。また、他の類似する触覚
フィードバック機構が、ユーザ入力の誤りを識別したことに応答して、テキストの中の誤
りが自動的に訂正された際に、またはそれらの誤りが自動的に訂正され得なかった際に、
与えられることも可能であり、訂正が自動的に行われ得た場合、それほど邪魔にならない
合図が与えられ、誤りが適切に訂正され得なかった、もしくは語が特定され得なかった場
合、より重大な合図が与えられる。誤りが適切に訂正され得なかった、もしくは語が特定
され得なかった場合、より重大な合図は、ユーザに、ユーザが行っていることを止めて、
ユーザの入力の手動の訂正を行うようにデバイスにより注意を払うようにさせることが可
能である。
【００５８】
ボックス312は、或る語のユーザによる手動の訂正を示す。このボックスは、デバイス
が訂正を自動的に行うことができなかったことを触覚フィードバックが示す場合でさえ、
ユーザが、現時点でユーザの入力を止めることを所望せず、ユーザがデータを入力し終わ
った後に訂正を行うことを意図する場合などに、ユーザが、そのような訂正を行う必要が
なく、ユーザのデバイスを無視することができるため、破線で示される。
【００５９】
このようにして、コンピューティングデバイスが、デバイスにデータを入力しているユ
ーザに入力を都合よく返すことが可能である。アラート機構は、情報を入力しているユー
ザを邪魔しないように与えられることが可能であり、さらにユーザが、そのように通知さ
れるのに情報のエントリを止める必要がないという点で控えめであり得る。このため、ユ
ーザは、ユーザが選択した場合、情報を入力しつづけることができ、またはユーザが選択
した場合、ユーザによる情報のエントリの問題に対処することができる。
【００６０】
図7は、ウインドウ周辺部上でのユーザ入力に応答して表示要素を生成するためのプロ
セスの流れ図である。一般に、このプロセスは、インターフェース上に既に表示されてい
るウインドウの周辺部近くでのユーザ選択に応答して、グラフィカルユーザインターフェ
ース上に新たなウインドウまたは類似した画面上の要素を開くことを含む。ユーザ選択は
、ウインドウの周辺部で始まり、さらにウインドウの内部にスライドして、ウインドウの
一方の側から他方の側にスライドするユーザの意図を基本的に示すことが可能であるとと
もに、最初の開かれたウインドウが退く領域内に新たなウインドウをもたらすことも可能
である。本明細書において、ウインドウという用語は、境界によって周囲の要素から区切
られ、その境界内の選択が、特定のアプリケーションに関するユーザアクションを表す、
グラフィックの画面上の要素を識別するのに使用される。
【００６１】
このプロセスは、ボックス314で始まり、コンテンツが、グラフィカルユーザインター
フェースにおける第1のウインドウ内に表示される。このコンテンツは、ウェブブラウザ
におけるウェブページ、ワードプロセッシングアプリケーションにおける文書、または別
の類似した形態であり得る。いくつかの実例において、スクロールバーが、このコンテン
ツの片側に沿って、またはこのコンテンツの上側または下側に沿って、このコンテンツを
通覧する加速された動きを許すように慣れ親しんだ様態で表示され得る。ボックス316で
、このプロセスは、スクロールバーが表示されている領域内などの、第1のウインドウの
端において或る選択を識別する。この選択は、スクロールバー内でスクロールボタンが表
示されている箇所などの、スクロールバーの特定の領域内で行われ得る。ボックス318で
、プロセスは、第1のウインドウの主部に入り込むドラッグを識別する。詳細には、この
プロセスは、ユーザが、グラフィックディスプレイ自体の周辺部に沿ってなど、ウインド
ウの周辺部に沿ってまず選択を行い、さらに、左から右に、または右から左に水平にドラ
ッグすることなどによって、文書の本文に入り込むようにドラッグしたと判定することが
可能である。
【００６２】
そのようなドラッグの識別に応答して、プロセスは、ボックス320で、第1のユーザウイ
ンドウに隣接する第2のユーザウインドウを生成することが可能である。第2のウインドウ
のそのような生成は、プロセスが、第2のウインドウのためにディスプレイ上にスペース
を空けるように第1のウインドウを縮小させた後に行われ得る。また、第2のウインドウの
そのような生成は、ポインタボタンをユーザが解放するのを待つことも可能であり、した
がって、ユーザは、最初に内向きにスライドして、ユーザが動かす2つのウインドウの将
来のサイズを見ることができるように動きながら、表示されるそれらのウインドウの輪郭
の画像を見ることができる。
【００６３】
第1のウインドウの縮小、および第2のウインドウの位置付けは、様々な場所で行われる
ことが可能であり、さらに1つのそのような場所は、ユーザが、ウインドウの周辺部でド
ラッグする動きを開始した後、ユーザの選択ボタンを解放するポイントであり得る。例え
ば、第1のウインドウがディスプレイ全体を満たし、さらにユーザが、このウインドウの
右手スクロールバーからディスプレイの横幅の半分を左にドラッグした場合、ボックス32
2に示されるとおり、第1のウインドウは、そのような操作の後、ディスプレイの左半分を
満たすことが可能であり、さらに新たなウインドウは、ディスプレイの右半分を満たすこ
とが可能である。
【００６４】
新たなウインドウ内に示される情報は、様々な形態をとり得る。例えば、空白のワード
プロセッシング文書などの空白の文書、またはユーザがアクセスしたいくつかの以前のウ
ェブサイト、もしくはユーザが1つまたは複数の検索クエリを入力することができる検索
ボックスを示す、ウェブブラウザのための一般的な最初の画面が、第2のウインドウ内に
最初に表示され得る。代替として、新たなウインドウは、ウェブページリンクのターゲッ
トなどの、第1のウインドウ内で表示されているものと関係する情報を表示してもよい。
そのようにして、ユーザは、第1のページ上のリンクをクリックして、そのページの周辺
部に、またはウインドウの外の領域に入るようにドラッグし、そのリンクのターゲットを
自動的に表示する新たなウインドウを開くように命令することができる。代替として、ユ
ーザの動きは、ウインドウの周辺部で開始し、新たなウインドウ(タブブラウザにおいて
タブであり得る)内でリンクのターゲットを開くためにページ上にリンクをドラッグして
もよい。
【００６５】
図8は、コンピューティングデバイスの動きに応答してナビゲーションアプリケーショ
ンを自動的に活性化するためのプロセスの流れ図である。一般に、このプロセスは、コン
ピューティングデバイス上の、さらに、一般には、モバイルコンピューティングデバイス
上の表示を、デバイスの速度の変化に応答して、自動的に変更することを含む。
【００６６】
このプロセスは、ボックス324で始まり、プロセスが、GPS機能、または、とりわけ、セ
ル電話機の中継塔もしくはWiFiホットスポットの間の三角測量などの技術による他の機能
を使用するデバイスの動きを監視する。この監視は、デバイスオペレーティングシステム
の一環としてデバイス上のイベントハンドラにおいて行われることが可能であり、様々な
アプリケーションまたは他のプロセスが、デバイスのGPSモジュールによって情報が生成
された際に通知を受ける意図を登録することが可能である。
【００６７】
ボックス326で、このプロセスは、所定のレベル以上の動きを識別する。そのような判
定は、速度が或るレベルを超えた場合に限って、アプリケーションに通知が与えられるよ
うに、イベントハンドラ自体によって行われることが可能である。代替として、本明細書
で説明されるプロセスによるアプリケーションが、デバイスによって生成される任意のGP
Sデータを受信することが可能であり、さらに、デバイスの速度が或る所定のレベルを超
えたというアプリケーション自らの判定を行うことが可能である。
【００６８】
ボックス328で、このプロセスは、デバイスの速度が或る速度を超えた場合に通知を受
ける意図を表明しているアプリケーションであり得る、利用可能なアプリケーションを確
認する。1つのそのようなアプリケーションには、デバイスの速度が、1つの場所から別の
場所にユーザが歩いていること、自転車に乗っていること、または車を運転していること
を示すレベルなどの或る所定のレベルを超えると、アプリケーション自らを自動的にイン
スタンス化して、デバイスの焦点となるようにプログラミングされることが可能な地図作
成アプリケーションが含まれ得る。ボックス330で、このプロセスは、GPSユニットによっ
て測定された速度に対応するモードで地図作成アプリケーション、または別のアプリケー
ションを活性化する。例えば、第1のモードは、ユーザが歩いていることなどの低速の動
きと関係することが可能であり、したがって、このモードは、歩いているユーザに関係の
ある情報を表示する。第2のモードは、ユーザが車を運転していることを示す速度に応答
してトリガされることが可能であり、さらにデバイスが移動している道路近くのガソリン
スタンドやファストフード店などの、運転者に関係のある情報を地図作成アプリケーショ
ンで表示することが可能である。
【００６９】
このようにして、本明細書で示される技術は、モバイルデバイスの焦点を、ユーザのモ
バイルデバイスと一緒に動いているユーザに関係のあるアプリケーションに自動的に変更
するのに使用され得る。その結果、ユーザは、情報を特に求める必要なしに、さらに、可
能性として、場合により、歩くこと、または車を運転することからユーザの注意をそらす
必要なしに、情報を受け取ることができる。
【００７０】
図9Aは、タッチパッドのユーザ操作に応答してグラフィックディスプレイに要素をもた
らすためのプロセスの流れ図である。一般に、このプロセスは、タッチ入力機構の表面を
はずれたところから、タッチ入力機構の領域に入り込むユーザの動きを識別することを含
み、動きの開始は、その機構が、その機構の端そのもので接触または動きを最初に感知す
るという事実により、その機構を外れたところからであるものと推定される。
【００７１】
このプロセスは、ボックス332で始まり、デバイスが、画面上に或るアプリケーション
を表示し、さらに画面の端にインジケータを表示する。この例において、画面の端のイン
ジケータは、通常は目に見える要素が、グラフィカルユーザインターフェースの表示の端
を外れたところに置かれていることをデバイスのユーザに視覚的に明らかにする。この例
における要素は、その要素の選択が、矢印の方向で何らかの動きを生じさせることになる
ことをユーザに自然に示すように、要素上に矢印が付けられて示される。また、他の機構
が、グラフィック要素が、或る意味で、グラフィックディスプレイの端を外れたところに
現在、配置されていることをユーザに示すのに使用されることも可能である。
【００７２】
ボックス334で、このプロセスは、デバイスのタッチパッド表面上で動きを受け取り、
さらにボックス336で、デバイスが、その動きの開始ポイントをタッチパッド表面の端で
識別する。また、デバイスは、その動きが、タッチパッドの端で或る速度を有し、このた
め、タッチパッドの端を外れたところから始まったに違いないと識別することも可能であ
る。デバイスは、そのような判定を利用して、その動きが、接触が最初に生じたことが識
別された端でタッチパッドを外れたところから始まったこと、およびその入力が、その入
力が始まった場所からタッチパッド上に移ったことを識別することができる。次に、デバ
イスは、そのような動きを、グラフィカルユーザディスプレイを外れたところからディス
プレイ上に、ユーザがユーザの指をタッチパッド上にスライドさせはじめたタッチパッド
の側に対応するディスプレイの側部から、アイテムをスライドさせるユーザの意図にかか
わるものと解釈することが可能である。そのような判定は、タッチパッド上の接触のポイ
ントが、ディスプレイ上にもたらされるべき画面外の要素が存在することをユーザに示す
タブまたは他の要素のディスプレイ上の位置に対応しない場合でさえ、行われ得る。
【００７３】
ボックス338で、このプロセスは、ディスプレイの背景の上、さらに/または他の表示さ
れたアプリケーションの上を、ユーザの入力がタッチパッドに入った側のタッチパッドの
端に対応する画面の端からスライドするパネルをアニメ化する。このアニメーションは、
要素が単純にスライドして視野に入ることであっても、より複雑な動きであってもよい。
また、視野に入ってくるようにアニメ化される視覚的要素は、リボン、パネル、またはツ
ールバーなどの様々な形態をとり得る。ユーザは、図9Bに示されるとおり、タッチパッド
上の場所からタッチパッドの端を外れたところにスワイプすることによって、その要素を
再び隠すことができる。
【００７４】
図9Bは、タッチパッドのユーザ操作に応答して、グラフィックディスプレイから要素を
取り除くため、またはグラフィックディスプレイにおいて要素のサイズを小さくするため
のプロセスの流れ図である。一般に、このプロセスは、タッチ入力機構の表面からの、タ
ッチ入力機構の端で終わるユーザの動きを識別することを含み、その動きの終わりは、そ
の機構によって最後に感知された接触がその機構の端部上、または端そのものにおいてで
あったという事実によって、その機構を外れていると推測される。
【００７５】
このプロセスは、ボックス602で始まり、デバイスが、画面上に或るアプリケーション
パネルを表示する。このアプリケーションは、画面上で完全に最大化されても、部分的に
だけ表示されてもよい。ほとんどの実施形態において、このアプリケーションは、画面の
中央近くに表示される。
【００７６】
ボックス604で、このプロセスは、デバイスのタッチパッド表面上の動きを受け取り、
さらにボックス606で、デバイスが、タッチパッド表面の端でその動きの終了ポイント、
つまり、終わるポイントを識別する。また、デバイスは、その動きが、タッチパッドの端
で減速する速度を有していたこと、したがって、タッチパッドの端で、または端近くで終
わったに違いないことを識別することも可能である。デバイスは、そのような判定を利用
して、その動きが、接触が最後に生じたことが識別された端でタッチパッドを外れたとこ
ろで終わったこと、およびその入力が、その入力が始まったタッチパッドから動いたこと
を識別することができる。次に、デバイスは、そのような動きを、グラフィカルユーザデ
ィスプレイからディスプレイを外れたところに、またはユーザがユーザの指をタッチパッ
ド上にスライドさせた先のタッチパッドの側に対応するディスプレイの側部に、アイテム
をスライドさせるユーザの意図にかかわるものと解釈することが可能である。そのような
判定は、タッチパッド上の接触のポイントが、ディスプレイから外されるべき画面上の要
素が存在することをユーザに示すタブまたは他の要素のディスプレイ上の位置に対応しな
い場合でさえ、行われ得る。
【００７７】
ボックス608で、このプロセスは、タッチパッド表面の端にスライドするパネルをアニ
メ化して、そのパネルによってそれまで覆われていた背景および/または他の表示される
アプリケーションをあらわにする。このパネルは、ユーザの入力がタッチパッド上で終わ
ったタッチパッドの端に対応する画面の端にスライドするようにアニメ化される。このア
ニメーションは、視野から要素を単にスライドさせることであっても、より複雑な動きで
あってもよい。また、視野に入るようにアニメ化される視覚的要素は、リボン、パネル、
またはツールバーなどの様々な形態をとり得る。
【００７８】
したがって、このプロセスによって、デバイスが、いくつかの要素が、実際のディスプ
レイから容易に外され、ディスプレイ上に再び戻されることが可能であるように、ディス
プレイを拡張する便利な機構をもたらすことができる。ユーザは、ポインタまたは他のア
イテムを注意深く位置付けることを必要とすることなく、代わりに、タッチパッドまたは
類似する入力機構の周囲の大まかな領域で素早くスワイプすることで、さらなるコンテン
ツを迅速に取り出すことができる。
【００７９】
図10は、本明細書で説明される技術とともに使用され得る、一般的なコンピューティン
グデバイス400および一般的なモバイルコンピューティングデバイス450の例を示す。コン
ピューティングデバイス400は、ラップトップ、デスクトップ、ワークステーション、携
帯情報端末、サーバ、ブレードサーバ、メインフレーム、およびその他の適切なコンピュ
ータなどの様々な形態のデジタルコンピュータを表すことを意図している。コンピューテ
ィングデバイス450は、携帯情報端末、セル電話機、スマートフォン、または他の類似す
るコンピューティングデバイスなどの様々な形態のモバイルデバイスを表すことを意図し
ている。本明細書で示される構成要素、それらの構成要素の接続および関係、ならびにそ
れらの構成要素の機能は、単に例示的であることが意図されており、本明細書で説明され
、さらに/または主張される本発明の実施形態を限定することは意図していない。
【００８０】
コンピューティングデバイス400は、プロセッサ402と、メモリ404と、ストレージデバ
イス406と、メモリ404および高速拡張ポート410に接続された高速インターフェース408と
、低速バス414およびストレージデバイス406に接続された低速インターフェース412とを
含む。構成要素402、404、406、408、410、および412のそれぞれは、様々なバスを使用し
て互いに接続され、さらに共通のマザーボード上に、または適宜、他の様態で実装され得
る。プロセッサ402は、高速インターフェース408に結合されたディスプレイ416などの外
部の入出力デバイス上のGUIのためのグラフィック情報を表示するメモリ404の中に、また
はストレージデバイス406上に格納された命令を含め、コンピューティングデバイス400内
で実行されるように命令を処理することができる。他の実施例において、複数のプロセッ
サおよび/または複数のバスが、適宜、複数のメモリ、および複数のタイプのメモリと一
緒に使用され得る。また、複数のコンピューティングデバイス400が、各デバイスが必要
な動作の部分を提供して(例えば、サーババンク、グループのブレードサーバ、またはマ
ルチプロセッサシステムとして)接続されることが可能である。
【００８１】
メモリ404は、コンピューティングデバイス400内に情報を格納する。一実施例において
、メモリ404は、1つまたは複数の揮発性メモリユニットである。別の実施例において、メ
モリ404は、1つまたは複数の不揮発性メモリユニットである。また、メモリ404は、磁気
ディスクまたは光ディスクなどの別の形態のコンピュータ可読媒体であることも可能であ
る。
【００８２】
ストレージデバイス406は、コンピューティングデバイス400に大容量ストレージをもた
らすことが可能である。一実施例において、ストレージデバイス406は、フロッピー（登
録商標）ディスクデバイス、ハードディスクデバイス、光ディスクデバイス、またはテー
プデバイス、フラッシュメモリもしくは他の類似したソリッドステートメモリデバイス、
あるいはストレージエリアネットワークまたは他の構成におけるデバイスを含むデバイス
のアレイなどの、コンピュータ可読媒体であること、またはそのようなコンピュータ可読
媒体を含むことが可能である。コンピュータプログラム製品は、情報キャリアとして実体
化され得る。また、コンピュータプログラム製品は、実行されると、前述した方法などの
1つまたは複数の方法を実行する命令を含むことも可能である。情報キャリアは、メモリ4
04、ストレージデバイス406、プロセッサ402上のメモリ、または伝搬される信号などのコ
ンピュータ可読媒体もしくはマシン可読媒体である。
【００８３】
高速コントローラ408が、コンピューティングデバイス400に関する帯域幅を多く使用す
る動作を管理する一方で、低速コントローラ412は、帯域幅をそれほど多く使用しない動
作を管理する。機能のそのような割当ては、単に例示的である。一実施例において、高速
コントローラ408は、メモリ404、ディスプレイ416(例えば、グラフィックスプロセッサま
たはグラフィックスアクセラレータ)、ならびに様々な拡張カード(図示せず)を受け入れ
ることが可能な高速拡張ポート410に結合される。この実施例において、低速コントロー
ラ412は、ストレージデバイス406および低速拡張ポート414に結合される。様々な通信ポ
ート(例えば、USB、Bluetooth（登録商標）、イーサネット（登録商標）、ワイヤレスイ
ーサネット（登録商標）)を含み得る低速拡張ポートは、キーボード、ポインティングデ
バイス、スキャナなどの1つまたは複数の入出力デバイスに、または、例えば、ネットワ
ークアダプタを介して、スイッチもしくはルータなどのネットワーキングデバイスに結合
され得る。
【００８４】
コンピューティングデバイス400は、図示されるとおり、いくつかの異なる形態で実施
され得る。例えば、コンピューティングデバイス400は、標準のサーバ420として、または
そのようなサーバのグループの中で複数回、実施されることが可能である。また、コンピ
ューティングデバイス400は、ラックサーバシステム424の一部として実施されることも可
能である。さらに、コンピューティングデバイス400は、ラップトップコンピュータ422な
どのパーソナルコンピュータとして実施され得る。代替として、コンピューティングデバ
イス400からの構成要素が、デバイス450などのモバイルデバイス(図示せず)内の他の構成
要素と組み合わせられてもよい。そのようなデバイスのそれぞれが、コンピューティング
デバイス400、450のうちの1つまたは複数を含むことが可能であり、さらにシステム全体
が、互いに通信する複数のコンピューティングデバイス400、450から成ることが可能であ
る。
【００８５】
コンピューティングデバイス450は、構成要素としてとりわけ、プロセッサ452と、メモ
リ464と、ディスプレイなどの入出力デバイス454と、通信インターフェース466と、トラ
ンシーバ468とを含む。また、デバイス450は、さらなるストレージをもたらす、マイクロ
ドライブまたは他のデバイスなどのストレージデバイスを備えることも可能である。構成
要素450、452、464、454、466、および468のそれぞれは、様々なバスを使用して互いに接
続され、さらにこれらの構成要素のうちのいくつかは、共通のマザーボード上に、または
適宜、他の様態で実装され得る。
【００８６】
プロセッサ452は、メモリ464の中に格納された命令を含め、コンピューティングデバイ
ス450内の命令を実行することができる。プロセッサは、別々の複数のアナログプロセッ
サおよびデジタルプロセッサを含むチップのチップセットとして実装され得る。プロセッ
サは、例えば、ユーザインターフェース、デバイス450によって実行されるアプリケーシ
ョン、およびデバイス450によるワイヤレス通信の制御などの、デバイス450の他の構成要
素の調整をもたらすことが可能である。
【００８７】
プロセッサ452は、ディスプレイ454に結合された制御インターフェース458およびディ
スプレイインターフェース456を介してユーザと対話することが可能である。ディスプレ
イ454は、例えば、TFT LCD(薄膜トランジスタ液晶ディスプレイ)またはOLED(有機発光ダ
イオード)ディスプレイ、または他の適切なディスプレイ技術であり得る。ディスプレイ
インターフェース456は、ユーザにグラフィック情報およびその他の情報を提示するよう
にディスプレイ454を駆動するための適切な回路を備え得る。制御インターフェース458は
、ユーザからコマンドを受け取り、さらにそれらのコマンドを、プロセッサ452にサブミ
ットするために変換することが可能である。さらに、プロセッサ452と通信状態にある外
部インターフェース462が、他のデバイスを相手にしたデバイス450の近域の通信を可能に
するように設けられることが可能である。外部インターフェース462は、例えば、一部の
実施例において有線通信をもたらすこと、または他の実施例においてワイヤレス通信をも
たらすことが可能であり、さらに複数のインターフェースが使用されることも可能である
。
【００８８】
メモリ464は、コンピューティングデバイス450内に情報を格納する。メモリ464は、1つ
または複数のコンピュータ可読媒体、1つまたは複数の揮発性メモリユニット、または1つ
または複数の不揮発性メモリユニットのうちの1つまたは複数として実装され得る。また
、拡張メモリ474が提供されて、例えば、SIMM(シングルインラインメモリモジュール)カ
ードインターフェースを含み得る拡張インターフェース472を介してデバイス450に接続さ
れることも可能である。そのような拡張メモリ474は、デバイス450に追加の格納スペース
をもたらすことが可能であり、またはデバイス450のためにアプリケーションまたは他の
情報を格納することも可能である。詳細には、拡張メモリ474は、前述したプロセスを実
行する、または補足する命令を含むことが可能であり、さらにセキュリティで保護された
情報を含むことも可能である。このため、例えば、拡張メモリ474は、デバイス450のため
のセキュリティモジュールとして提供されることが可能であり、さらにデバイス450のセ
キュリティで保護された使用を許す命令をプログラミングされることが可能である。さら
にセキュリティで保護されたアプリケーションが、ハッキングできない様態でSIMMカード
上の識別情報を置くことなどの、さらなる情報と一緒に、SIMMカードを介して提供され得
る。
【００８９】
メモリは、下記で説明されるとおり、例えば、フラッシュメモリおよび/またはNVRAMメ
モリを含み得る。一実施例において、コンピュータプログラム製品は、情報キャリアとし
て実体化される。コンピュータプログラム製品は、実行されると、前述した方法などの1
つまたは複数の方法を実行する命令を含む。情報キャリアは、メモリ464、拡張メモリ474
、プロセッサ452上のメモリ、または、例えば、トランシーバ468もしくは外部インターフ
ェース462を介して受信され得る伝搬される信号などのコンピュータ可読媒体もしくはマ
シン可読媒体である。
【００９０】
デバイス450は、必要な場合、デジタル信号処理回路を含み得る通信インターフェース4
66を介してワイヤレスで通信することが可能である。通信インターフェース466は、とり
わけ、GSM（登録商標）音声通話、SMSメッセージング、EMSメッセージング、もしくはMMS
メッセージング、CDMA、TDMA、PDC、WCDMA（登録商標）、CDMA2000、またはGPRSなどの様
々なモードまたはプロトコルの下で通信をもたらすことが可能である。そのような通信は
、例えば、無線周波数トランシーバ468を介して行われ得る。さらに、Bluetooth（登録商
標）、WiFi、または他のそのようなトランシーバ(図示せず)を使用するなどして、短距離
通信が行われ得る。さらに、GPS(全地球測位システム)受信モジュール470が、デバイス45
0上で実行されるアプリケーションによって適宜、使用され得る、さらなるナビゲーショ
ン関連、および位置特定関連のワイヤレスデータをデバイス450に供給することが可能で
ある。
【００９１】
また、デバイス450は、ユーザからの音声情報を受け取り、その情報を、使用可能なデ
ジタル情報に変換することができるオーディオコーデック460を使用して可聴で通信する
ことも可能である。オーディオコーデック460は、例えば、デバイス450のハンドセット内
のスピーカなどを介して、ユーザのために可聴音を同様に生成することが可能である。そ
のような音には、音声電話通話からの音が含まれることが可能であり、記録された音(例
えば、音声メッセージ、音楽ファイルなど)が含まれることが可能であり、さらにデバイ
ス450上で動作するアプリケーションによって生成される音が含まれることも可能である
。
【００９２】
コンピューティングデバイス450は、図示されるとおり、いくつかの異なる形態で実施
され得る。例えば、コンピューティングデバイス450は、セル電話機480として実施され得
る。また、コンピューティングデバイス450は、スマートフォン482、携帯情報端末、また
は他の類似したモバイルデバイスの一部として実施されることも可能である。
【００９３】
本明細書で説明されるシステムおよび技術の様々な実施例は、デジタル電子回路、集積
回路、専用に設計されたASIC(特定用途向け集積回路)、コンピュータハードウェア、ファ
ームウェア、ソフトウェア、および/または以上の組み合わせとして実現され得る。これ
らの様々な実施例には、ストレージシステム、少なくとも1つの入力デバイス、および少
なくとも1つの出力デバイスからデータおよび命令を受信するとともに、そのようなスト
レージシステム、入力デバイス、および出力デバイスにデータおよび命令を送信するよう
に結合された、専用であることも、汎用であることも可能な、少なくとも1つのプログラ
ミング可能なプロセッサを含むプログラミング可能なシステム上で実行可能であり、さら
に/または解釈可能である1つまたは複数のコンピュータプログラムとしての実施が含まれ
得る。
【００９４】
これらのコンピュータプログラム(プログラム、ソフトウェア、ソフトウェアアプリケ
ーション、またはコードとしても知られる)は、プログラミング可能なプロセッサのため
のマシン命令を含み、さらに高レベルのプロシージャ言語および/またはオブジェクト指
向プログラミング言語、および/またはアセンブリ言語/機械語で実装され得る。本明細書
で使用される「マシン可読媒体」および「コンピュータ可読媒体」という用語は、マシン
可読信号としてマシン命令を受け取るマシン可読媒体を含め、プログラミング可能なプロ
セッサにマシン命令および/またはデータを供給するのに使用される任意のコンピュータ
プログラム製品、装置、および/またはデバイス(例えば、磁気ディスク、光ディスク、メ
モリ、プログラマブルロジックデバイス(PLD))を指す。「マシン可読信号」という用語は
、プログラミング可能なプロセッサにマシン命令および/またはデータを供給するのに使
用される任意の信号を指す。
【００９５】
ユーザとの対話をもたらすのに、本明細書で説明されるシステムおよび技術は、ユーザ
に情報を表示するためのディスプレイデバイス(例えば、CRT(陰極線管)モニタまたはLCD(
液晶ディスプレイ)モニタ)、ならびにユーザがコンピュータに入力を与えることができる
キーボードおよびポインティングデバイス(例えば、マウスまたはトラックボール)を有す
るコンピュータ上で実施され得る。ユーザとの対話をもたらすのに他の種類のデバイスが
使用されることも可能であり、例えば、ユーザに与えられるフィードバックは、任意の形
態の感覚フィードバック(例えば、視覚フィードバック、聴覚フィードバック、または触
覚フィードバック)であることが可能であり、さらにユーザからの入力は、音響入力、音
声入力、または触覚入力を含め、任意の形態で受け取られることが可能である。
【００９６】
本明細書で説明されるシステムおよび技術は、バックエンド構成要素(例えば、データ
サーバ)を含むコンピューティングシステム、またはミドルウェア構成要素(例えば、アプ
リケーションサーバ)を含むコンピューティングシステム、またはフロントエンド構成要
素(例えば、ユーザが、本明細書で説明されるシステムおよび技術の実施形態と対話する
ことができるグラフィカルユーザインターフェースもしくはウェブブラウザを有するクラ
イアントコンピュータ)を含むコンピューティングシステム、あるいはそのようなバック
エンド構成要素、ミドルウェア構成要素、またはフロントエンド構成要素の任意の組み合
わせを含むコンピューティングシステムにおいて実施され得る。このシステムの構成要素
は、任意の形態または媒体のデジタルデータ通信(例えば、通信ネットワーク)によって互
いに接続され得る。通信ネットワークの例には、ローカルエリアネットワーク(「LAN」)
、ワイドエリアネットワーク(「WAN」)、およびインターネットが含まれる。
【００９７】
コンピューティングシステムは、クライアントと、サーバとを含み得る。クライアント
とサーバは、一般に、互いに遠隔であり、さらに、通常、通信ネットワークを介して対話
する。クライアントとサーバの関係は、それぞれのコンピュータ上で実行されており、さ
らに互いにクライアント-サーバ関係を有するコンピュータプログラムのお陰で生じる。
【００９８】
いくつかの実施形態が、説明されてきた。それでも、本発明の趣旨および範囲を逸脱す
ることなく、様々な変形が行われ得ることが理解されよう。例えば、本明細書の多くは、
テレビ広告に関連して説明されてきたが、ラジオ広告またはオンラインビデオ広告などの
、他の形態の将来の視聴者ベースの広告が扱われることも可能である。
【００９９】
さらに、図に示される論理の流れは、所望される結果を実現するのに、示される特定の
順序も、順番であることも要さない。さらに、他のステップが提供されることが可能であ
り、または説明される流れからステップが除かれることが可能であり、さらに他の構成要
素が、説明するシステムに追加されること、または説明するシステムから除去されること
が可能である。したがって、他の実施形態も、添付の特許請求の範囲に含まれる。
【符号の説明】
【０１００】
１０２  モバイルコンピューティングデバイス
１２０  ウインドウ
１２８  選択ターゲット
１３０  ドロップターゲット
【図１Ａ】
2017199420.tif 000003
【図１Ｂ】
2017199420.tif 000004
【図２Ａ】
2017199420.tif 000005
【図２Ｂ】
2017199420.tif 000006
【図３Ａ】
2017199420.tif 000007
【図３Ｂ】
2017199420.tif 000008
【図４Ａ】
2017199420.tif 000009
【図４Ｂ】
2017199420.tif 000010
【図４Ｃ】
2017199420.tif 000011
【図５】
2017199420.tif 000012
【図６】
2017199420.tif 000013
【図７】
2017199420.tif 000014
【図８】
2017199420.tif 000015
【図９Ａ】
2017199420.tif 000016
【図９Ｂ】
2017199420.tif 000017
【図１０】
2017199420.tif 000018
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
コンピューティングデバイスのためのコンピュータによって実行される方法であって、
グラフィックディスプレイを有するコンピューティングデバイスのタッチパッド表面上で、前記タッチパッド表面にわたってドラッグするユーザ入力の動きを受け取るステップと、
前記タッチパッド表面の周辺端部における、前記入力の動きについて感知された最初の位置を識別するとともに、前記ドラッグする入力の動きが前記タッチパッド表面の周辺端部に入ったときに正の速度を有していたことを識別することによって、前記ドラッグする入力の動きを、前記タッチパッドの端を外れたところから始まっているものとして識別するステップと、
前記タッチパッド表面の周辺端部における、前記入力の動きについて感知された前記最初の位置と、前記ドラッグする入力の動きが前記タッチパッド表面の周辺端部に入ったときの前記正の速度とに基づいて、前記ユーザ入力の動きを、前記グラフィックディスプレイ上のポインタの移動を生じさせる前記タッチパッド表面にわたってドラッグするユーザ入力の動きから区別するステップと、
前記ユーザ入力の動きを、前記グラフィックディスプレイ上のポインタの移動を生じさせる前記タッチパッド表面にわたってドラッグするユーザ入力の動きから区別したことに基づいて、前記ドラッグする入力の動きを識別するステップに応答して、前記グラフィックディスプレイの上で、前記ディスプレイの前記端から前記ディスプレイの主部に入るように移動するようにアニメ化されるスライドするグラフィック要素を、前記ディスプレイ上の動かない要素の上に表示するステップとを備え、前記タッチパッド表面は、前記グラフィックディスプレイの表面とは分離しており、前記スライドするグラフィック要素の動きは前記ドラッグする入力の動きと連動する、方法。
【請求項２】
前記タッチパッド上で受け取られた前記ユーザ入力の動きを、前記グラフィックディスプレイ上の対応するポイントにマップするステップをさらに備える、請求項１に記載の方法。
【請求項３】
前記スライドするグラフィック要素は、前記ユーザ入力の動きに対応する方向で動く、請求項１または２に記載の方法。
【請求項４】
ユーザ入力の動きを受け取るステップは、前記タッチパッド表面の右側または左側から前記タッチパッド表面に入る入力の動きを受け取るステップを備える、請求項１〜３のいずれか一項に記載の方法。
【請求項５】
ユーザ入力の動きを受け取るステップは、前記タッチパッド表面の上側または下側から前記タッチパッド表面に入る入力の動きを受け取るステップを備える請求項１〜４のいずれか一項に記載の方法。
【請求項６】
前記ドラッグする入力の動きに関するベクトルを計算するステップをさらに備える、請求項１〜５のいずれか一項に記載の方法。
【請求項７】
前記スライドするグラフィック要素が前記ディスプレイの前記端から前記ディスプレイの前記主部に入るときに移動する距離は、前記ドラッグするユーザ入力の動きの長さに対応する、請求項１〜６のいずれか一項に記載の方法。
【請求項８】
前記スライドするグラフィック要素が前記ディスプレイの前記端から前記ディスプレイの前記主部に入るときに移動する距離は、前記ドラッグするユーザ入力の動きの速度に対応する、請求項１〜７のいずれか一項に記載の方法。
【請求項９】
前記スライドするグラフィック要素は、前記ディスプレイの前記端から移動するより前に、第１のコンテンツを表示し、さらに前記ディスプレイの前記主部に入るように移動した後に、第２のコンテンツを表示する、請求項１〜８のいずれか一項に記載の方法。
【請求項１０】
前記第１のコンテンツは、前記第２のコンテンツのサブセットである、請求項９に記載の方法。
【請求項１１】
前記タッチパッド表面上で、前記タッチパッド表面にわたってドラッグする第２のユーザ入力の動きを受け取るステップと、
前記タッチパッド表面の周辺端部における、前記入力の動きについて感知された最後の位置を識別することによって、前記第２のドラッグする入力の動きを、前記タッチパッド上で始まり前記タッチパッドの前記端を外れたところで終わっているものとして識別するステップと、
前記第２のドラッグする入力の動きを識別するステップに応答して、前記グラフィックディスプレイ上に、前記ディスプレイの前記主部から前記ディスプレイの前記端に移動した後に前記ディスプレイから消えるようにアニメ化されるスライドするグラフィック要素を、前記ディスプレイ上の動かない要素の上に表示するステップとをさらに備える、請求項１〜１０のいずれか一項に記載の方法。
【請求項１２】
第１のスライドするグラフィック要素と前記第２のスライドするグラフィック要素は同一である、請求項１１に記載の方法。
【請求項１３】
前記第１の動かない要素と前記第２の動かない要素は同一である、請求項１２に記載の方法。
【請求項１４】
コンピューティングデバイスのためのコンピュータによって実行される方法であって、
コンピューティングデバイスのタッチパッド表面上で、前記タッチパッド表面にわたってドラッグするユーザ入力の動きを受け取るステップと、
前記タッチパッド表面の周辺端部における、前記入力の動きについて感知された最後の位置を識別するとともに、前記ドラッグする入力の動きが前記タッチパッド表面の周辺端部を通過したときに正の速度を保っていたことを識別することによって、前記入力の動きを、前記タッチパッド上で始まり前記タッチパッドの端を外れたところで終わっているものとして識別するステップと、
前記タッチパッド表面の周辺端部における、前記入力の動きについて感知された前記最後の位置と、前記入力の動きが前記タッチパッド表面の周辺端部を通過したときの前記正の速度とに基づいて、前記ユーザ入力の動きを、前記グラフィカルディスプレイ上のポインタの移動を生じさせる前記タッチパッド表面にわたってドラッグするユーザ入力の動きから区別するステップと、
前記ユーザ入力の動きを、前記グラフィカルディスプレイ上のポインタの移動を生じさせる前記タッチパッド表面にわたってドラッグするユーザ入力の動きから区別したことに基づいて、前記ドラッグする入力の動きを識別するステップに応答して、前記コンピューティングデバイスのグラフィックディスプレイの上で、前記ディスプレイの主部から前記ディスプレイの前記端に移動するようにアニメ化されるスライドするグラフィック要素を、前記ディスプレイ上の動かない要素の上に表示するステップとを備え、前記タッチパッド表面は、前記グラフィックディスプレイの表面とは分離しており、前記スライドするグラフィック要素の動きは前記ドラッグする入力の動きと連動する、方法。
【請求項１５】
ユーザ入力の動きを受け取るステップは、前記タッチパッド表面の右側または左側で前記タッチパッド表面の外に出る入力の動きを受け取るステップを備える、請求項１４に記載の方法。
【請求項１６】
ユーザ入力の動きを受け取るステップは、前記タッチパッド表面の上側または下側で前記タッチパッド表面の外に出る入力の動きを受け取るステップを備える、請求項１４または１５に記載の方法。
【請求項１７】
前記スライドするグラフィック要素は、前記ユーザ入力の動きに対応する方向で動く、請求項１４〜１６のいずれか一項に記載の方法。
【請求項１８】
前記ドラッグする入力の動きは、前記タッチパッド表面上で、前記グラフィックディスプレイ上の前記スライドするグラフィック要素の位置に対応する前記タッチパッド表面上の位置において始まる、請求項１４〜１７のいずれか一項に記載の方法。
【請求項１９】
前記スライドするグラフィック要素は、前記ディスプレイの前記端から前記ディスプレイを外れたところにさらに動くようにアニメ化される、請求項１４〜１８のいずれか一項に記載の方法。
【請求項２０】
前記タッチパッド上で受け取られた前記ユーザ入力の動きを、前記グラフィックディスプレイ上の対応するポイントにマップするステップをさらに備える、請求項１４〜１９のいずれか一項に記載の方法。
【請求項２１】
コンピューティングデバイス上のグラフィックディスプレイと、
前記グラフィックディスプレイ上の動かない要素と、
タッチパッド表面にわたる、識別されたドラッグする入力の動きに応答して、前記グラフィックディスプレイの端から前記グラフィックディスプレイの主部まで前記動かない要素の上を動くことができるスライドするグラフィック要素とを備え、
前記識別されたドラッグする入力の動きは、前記タッチパッド表面の端を外れたところから始まり前記タッチパッド表面の周辺端部に入ったときに正の速度を有しており、
前記入力の動きが前記タッチパッド表面の端を外れたところから始まり前記タッチパッド表面の周辺端部に入ったときに正の速度を有していたことに基づいて、前記入力の動きは、前記グラフィックディスプレイ上のポインタの移動を生じさせる前記タッチパッド表面にわたってドラッグするユーザ入力の動きから区別され、
前記スライドするグラフィック要素はさらに、識別されたドラッグする入力の動きに応答して、前記動かない要素の上で、前記グラフィックディスプレイの主部から前記グラフィックディスプレイの端まで移動することができ、前記識別されたドラッグする入力の動きは、前記タッチパッドの前記端を外れたところで終わり前記タッチパッド表面の周辺端部を通過したときに正の速度を維持しており、前記識別されたドラッグする入力の動きは、前記タッチパッドの前記端を外れたところで終わり前記タッチパッドの周辺端部を通過したときに正の速度を有していたことに基づいて、前記グラフィカルディスプレイ上のポインタの移動を生じさせる前記タッチパッド表面にわたってドラッグするユーザ入力の動きから区別され、
前記タッチパッド表面は、前記グラフィックディスプレイの表面とは分離しており、前記スライドするグラフィック要素の動きは前記ドラッグする入力の動きと連動する、システム。
【請求項２２】
前記スライドするグラフィック要素の動きは、タッチパッド上で受け取られるユーザ入力をマップするステップに基づく、請求項２１に記載のシステム。
【請求項２３】
前記スライドするグラフィック要素の動きは、ユーザ入力の動きに対応する、請求項２１または２２に記載のシステム。
【請求項２４】
前記スライドするグラフィック要素の動きは、前記ユーザ入力の動きの長さと前記ユーザ入力の動きの速度のいずれかにさらに対応する、請求項２３に記載のシステム。
【請求項２５】
前記スライドするグラフィック要素が、前記ディスプレイの前記端近くに位置する第１の位置にある際、前記スライドするグラフィック要素によって表示される第１のコンテンツをさらに備える、請求項２１に記載のシステム。
【請求項２６】
前記スライドするグラフィック要素が、前記ディスプレイの前記主部に位置する第２の位置にある際、前記スライドするグラフィック要素によって表示される第２のコンテンツをさらに備える、請求項２５に記載のシステム。
【請求項２７】
前記第２のコンテンツに関連するサイズは、前記第１のコンテンツに関連するサイズより大きい、請求項２６に記載のシステム。
【請求項２８】
前記スライドするグラフィック要素が前記ディスプレイの前記端から前記ディスプレイの前記主部に入るときに移動する距離は、前記ドラッグするユーザ入力の動きの長さに比例する、請求項８に記載の方法。
【請求項２９】
前記第２のドラッグする入力の動きが、前記スライドするグラフィック要素を前記ディスプレイから外れたところにスライドさせるというユーザの意図を示すと判断するステップをさらに備え、前記入力の動きの起点である前記タッチパッド上の位置は、前記ディスプレイ上の前記スライドするグラフィック要素の位置に対応しない、請求項１１に記載の方法。
【請求項３０】
コンピュータに請求項１〜２０、請求項２８および請求項２９のいずれか１項に記載の方法を実行させるためのプログラム。